(57)【要約】【課題】発光素子の数が少ない場合でも導光板から出射される照明光の強度ばらつきを緩和することのできる照明装置、表示装置および携帯用電子機器を提供すること。【解決手段】照明装置３０は、発光ダイオード４１からなる発光素子４０と、発光素子４０と対向する光入射部５５を側面５４に備えた導光板５０とを有しており、導光板５０は、第１面５１から照明光を出射する。光入射部５５には、導光板５０の厚さ方向に軸線方向Ｌ５５１を向けた凹曲面５５１からなるシリンドリカルレンズ面５５０が軸線方向Ｌ５５１と直交する方向に複数設けられている。シリンドリカルレンズ面５５０は、曲率半径が０．５ｍｍ以下、好ましくは、曲率半径が０．２ｍｍ以下の円弧面からなる。【選択図】図３
2016162714.tif 000002
【特許請求の範囲】
【請求項１】
発光素子と、
前記発光素子と対向する光入射部を側面に備え、厚さ方向の一方面から照明光を出射する導光板と、
を有し、
前記光入射部には、前記導光板の厚さ方向に軸線方向を向けた凹曲面からなるシリンドリカルレンズ面が前記軸線方向と直交する方向に複数設けられていることを特徴とする照明装置。
【請求項２】
請求項１に記載の照明装置において、
前記発光素子と前記光入射部とが対向する方向に対して直交する幅方向では、
前記導光板の最大幅寸法が、前記光入射部が設けられている範囲の幅寸法より大であることを特徴とする照明装置。
【請求項３】
請求項１または２に記載の照明装置において、
前記シリンドリカルレンズ面は、曲率半径が０．５ｍｍ以下の円弧面であることを特徴とする照明装置。
【請求項４】
請求項３に記載の照明装置において、
前記シリンドリカルレンズ面は、曲率半径が０．２ｍｍ以下の円弧面であることを特徴とする照明装置。
【請求項５】
請求項１乃至４の何れか一項に記載の照明装置において、
前記軸線方向と直交する方向において隣り合う前記シリンドリカルレンズ面同士が繋がっていることを特徴とする照明装置。
【請求項６】
請求項１乃至４の何れか一項に記載の照明装置において、
前記軸線方向と直交する方向において隣り合う前記シリンドリカルレンズ面の間には、前記発光素子の発光面と平行な面が設けられていることを特徴とする照明装置。
【請求項７】
請求項１乃至６の何れか一項に記載の照明装置において、
前記発光素子は、発光ダイオードであることを特徴とする照明装置。
【請求項８】
請求項１乃至７の何れか一項に記載の照明装置を備えた表示装置であって、
前記導光板の前記一方面に対向する表示パネルを有していることを特徴とする表示装置。
【請求項９】
請求項８に記載の表示装置において、
前記表示パネルは、反射型の表示パネルであることを特徴とする表示装置。
【請求項１０】
請求項８または９に記載の表示装置を備えていることを特徴とする携帯用電子機器。
【発明の詳細な説明】
【技術分野】
【０００１】
本発明は、導光板および発光素子を備えた照明装置、表示装置および携帯用電子機器に関するものである。
【背景技術】
【０００２】
反射型の表示パネルを備えた表示装置では、透過光を利用できないため、いわゆるフロントライトと称せられる照明装置が用いられる。かかる照明装置では、導光板の側面から光を入射させ、導光板の厚さ方向の一方面から照明光を出射させる。ここで、携帯用電子機器に用いられる表示装置では、光源として発光ダイオード等の発光素子が用いられる。その際、省電力化等の観点から、少ない数の発光素子で表示パネルを均一に照明する必要がある。
【０００３】
しかしながら、図７（ａ）に示すように、導光板５０の光入射部５５が平坦面からなる場合、発光素子４０から発散光が出射されても、導光板５０に入射する際に屈折して、発散角が小さくなってしまう。その結果、図５（ｅ）において、導光板５０から出射される照明光において強度が相対的に低い領域Ｐ５を斜線領域で示すように、光入射部５５から離間する領域に強度が相対的に低い領域Ｐ５が広く広がるとともに、光入射部５５の両側に位置する領域Ｐ６では、照明光の強度が他の領域に比して著しく低くなってしまう。なお、導光板５０の光入射部５５が平坦面である場合でも、画像表示領域１ａから光入射部５５を十分に離間させれば、光入射部５５の両側に位置する領域Ｐ６での強度低下を改善することができるが、その場合、照明装置が大型化してしまう。
【０００４】
一方、導光板５０の光入射部５５に関しては、図７（ｂ）に示すように、導光板５０の厚さ方向に軸線方向Ｌ５５８を向けた凸曲面５５８からなるシリンドリカルレンズ面５５９を軸線方向Ｌ５５８と直交する方向に複数設けた構成が提案されている（特許文献１参照）。
【先行技術文献】
【特許文献】
【０００５】
【特許文献１】特開２００３−２７１０６７号公報
【発明の概要】
【発明が解決しようとする課題】
【０００６】
しかしながら、特許文献１に記載の構成では、発光素子から発散光が出射されても、光入射部が平坦面である場合より、発散角が小さくなってしまう。このため、図５（ｅ）に示すような強度分布のばらつきを解消することが困難である。特に、図５（ｅ）に示すように、発光素子と光入射部とが対向する方向に対して直交する幅方向において、導光板の最大幅寸法が、光入射部が設けられている範囲の幅寸法より極端に大である場合、図５（ｅ）に示すような強度のばらつきを解消することが困難である。
【０００７】
以上の問題点に鑑みて、本発明の課題は、発光素子の数が少ない場合でも導光板から出射される照明光の強度ばらつきを緩和することのできる照明装置、かかる照明装置を備えた表示装置、およびかかる表示装置を備えた携帯用電子機器を提供することにある。
【課題を解決するための手段】
【０００８】
上記課題を解決するために、本発明に係る照明装置の一態様は、発光素子と、前記発光素子と対向する光入射部を側面に備え、厚さ方向の一方面から照明光を出射する導光板と、を有し、前記光入射部には、前記導光板の厚さ方向に軸線方向を向けた凹曲面からなるシリンドリカルレンズ面が前記軸線方向と直交する方向に複数設けられていることを特徴とする。
【０００９】
本発明において、導光板に設けられた光入射部には、導光板の厚さ方向に軸線方向を向けた凹曲面からなるシリンドリカルレンズ面が軸線方向と直交する方向に複数設けられているため、発光素子から出射された発散光は、シリンドリカルレンズ面によって発散角がさらに拡大される。このため、導光板のうち、光入射部の両側に位置する領域でも、発光素子から出射された光が十分に到達する。従って、導光板の一方面からは、光入射部の両側に位置する領域からも、照明光が十分な強度をもって出射されるので、照明光の強度ばらつきを緩和することができる。また、導光板に設けられた光入射部では、複数のシリンドリカルレンズ面が形成されているので、光入射部と発光素子とを近接させても、照明光の強度ばらつきを緩和することができる。それ故、照明装置の小型化を図ることができる。
【００１０】
本発明は、前記発光素子と前記光入射部とが対向する方向に対して直交する幅方向では、前記導光板の最大幅寸法が、前記光入射部が設けられている範囲の幅寸法より大である場合に適用すると効果的である。
【００１１】
本発明において、前記シリンドリカルレンズ面は、曲率半径が０．５ｍｍ以下の円弧面であることが好ましく、さらに好ましくは、曲率半径が０．２ｍｍ以下の円弧面であることが好ましい。
【００１２】
本発明において、前記軸線方向と直交する方向において隣り合う前記シリンドリカルレンズ面同士が繋がっている態様を採用することができる。
【００１３】
本発明において、前記軸線方向と直交する方向において隣り合う前記シリンドリカルレンズ面の間には、前記発光素子の発光面と平行な面が設けられている態様を採用してもよい。
【００１４】
本発明において、前記発光素子は、発光ダイオードであることが好ましい。
【００１５】
本発明を適用した照明装置を備えた表示装置は、前記導光板の前記一方面に対向する表示パネルを有していることを特徴とする。
【００１６】
この場合、前記表示パネルが反射型の表示パネルである態様を採用することができる。
【００１７】
本発明を適用した表示装置は、携帯用電子機器等、各種電子機器に用いることができる。
【図面の簡単な説明】
【００１８】
【図１】本発明を適用した表示装置の一態様を示す説明図である。
【図２】本発明を適用した照明装置および表示装置に用いた発光素子の一例を示す説明図である。
【図３】本発明を適用した照明装置および表示装置に用いた導光板の光入射部の一例を示す説明図である。
【図４】導光板に入射した光の光線解析結果を示す説明図である。
【図５】本発明を適用した照明装置および表示装置に用いた導光板から出射される照明光の強度分布を示す説明図である。
【図６】本発明を適用した表示装置を備えた携帯用電子機器の説明図である。
【図７】本発明の参考例に係る導光板の光入射部を示す説明図である。
【発明を実施するための形態】
【００１９】
図面を参照して、本発明の実施の形態を説明する。なお、以下の説明で参照する図においては、各層や各部材を図面上で認識可能な程度の大きさとするため、各層や各部材毎に縮尺を異ならしめてある。
【００２０】
（表示装置の構成）
図１は、本発明を適用した表示装置の一態様を示す説明図であり、図１（ａ）、（ｂ）は各々、表示装置の平面図、および表示装置のＨ−Ｈ′断面図である。
【００２１】
図１に示す表示装置１は、表示パネル１０と、表示パネル１０に対向配置された導光板５０を備えた照明装置３０とを有している。
【００２２】
本形態において、表示パネル１０は、電気泳動パネル、反射型液晶パネル、ＭＥＭＳ素子、光干渉素子等の反射型の表示パネルであり、第１基板１１と、第１基板１１と対向配置された透光性の第２基板１２と、第１基板１１と第２基板１２との間に設けられた表示層１３とを有している。第１基板１１において第２基板１２と対向する面、および第２基板１２において第１基板１１と対向する面には、表示層１３を駆動する電極（図示せず）が形成されている。本形態において、表示パネル１０は、電気泳動パネルである。
【００２３】
かかる反射型の表示パネル１０では、図１（ｂ）に矢印Ｐで示すように、第２基板１２の側から入射した照明光が表示層１３や第１基板１１の側で反射して第２基板１２の側から出射される間に表示層１３によって光変調され、画像を表示する。
【００２４】
（照明装置３０の構成）
照明装置３０は、いわゆるフロントライトとして構成されており、発光素子４０と、発光素子４０と対向する光入射部５５を側面５４に備えた透光性の導光板５０とを有している。本形態において、導光板５０は、表示パネル１０の第２基板１２に透光性の接着剤層２０によって接着されている。導光板５０は、例えば、屈折率が１．５〜１．６の透光性樹脂からなり、本形態において、導光板５０は、例えば、ポリカーボネート（屈折率＝１．５９）からなる。
【００２５】
かかる照明装置３０において、発光素子４０から出射された光は、導光板５０の光入射部５５から導光板５０の内部に入射した後、導光板５０の厚さ方向で対向する第１面５１および第２面５２との間で反射を繰り返しながら導光板５０内を進行し、第１面５１および第２面５２のうち、表示パネル１０側に位置する第１面５１（厚さ方向の一方面）から照明光を表示パネル１０に出射する。そして、照明光は、表示パネル１０によって光変調された後、導光板５０の第１面５１から導光板５０内に入射し、第２面５２から出射して画像を表示する。本形態において、導光板５０の第１面５１および第２面５２の少なくとも一方には、凸部や凹部からなる光散乱部５９が所定の分布をもって形成されている。本形態において、光散乱部５９は、例えば、ピッチが０．２ｍｍ、半径が６０μｍ、高さが１０μｍの半球状の凸部からなり、導光板５０の第２面５２に設けられている。
【００２６】
本形態において、導光板５０は、略円形の平面形状を有しており、周方向の一部が径方向の外側に突出した突出部５３になっている。本形態において、突出部５３の先端部５３０は直線状であり、導光板５０の側面５４のうち、突出部５３の先端部５３０に光入射部５５が設けられている。本形態において、光入射部５５は、突出部５３の先端部５３０のうち、先端部５３０の延在方向の中央の１個所に設けられている。このため、本形態の照明装置３０では、光源として、発光素子４０が１つ設けられている。また、発光素子４０と光入射部５５とが対向する方向に対して直交する幅方向では、導光板５０の最大幅寸法Ｗａは、光入射部５５が設けられている範囲の幅寸法Ｗｂよりかなり大である。
【００２７】
本形態において、表示パネル１０は、導光板５０と同様、略円形の平面形状を有しており、導光板５０の突出部５３と重なる突出部１５を有している。但し、表示パネル１０は、平面形状については、略円形に限らず、矩形であってもよい。いずれの場合も、表示パネル１０と導光板５０とが重なる領域の一部が画像表示領域１ａとして利用される。本形態において、画像表示領域１ａは、導光板５０よりわずかに外径が小さい円形領域として構成されている。
【００２８】
（発光素子４０の構成）
図２は、本発明を適用した照明装置３０および表示装置１に用いた発光素子４０の一例を示す説明図であり、図２（ａ）、（ｂ）、（ｃ）は、発光素子４０から出射された光源光の強度分布を示す説明図、光源光のＸ軸方向における強度分布を示すグラフ、および光源光のＹ軸方向における強度分布を示すグラフである。
【００２９】
図１を参照して説明した発光素子４０は、白色光を出射する発光ダイオード４１であり、かかる発光ダイオード４１では、青色光で黄色の蛍光体を励起して白色光を生成する。このため、発光素子４０は、実質的には、Ｘ軸方向に長軸を向け、Ｙ軸方向に短軸を向けた略楕円の面光源として機能する。従って、本形態では、図１に示すように、発光素子４０は、短軸（Ｙ軸方向）を導光板５０の厚さ方向に向け、長軸（Ｘ軸方向）を導光板５０において側面５４（光入射部５５）の延在方向に向けるように配置される。
【００３０】
（光入射部５５の詳細構成）
図３は、本発明を適用した照明装置３０および表示装置１に用いた導光板５０の光入射部５５の一例を示す説明図であり、図３（ａ）、（ｂ）、（ｃ）は、光入射部５５の斜視図、光入射部５５の平面図、および光入射部５５の変形例を示す説明図である。図４は、導光板５０に入射した光の光線解析結果を示す説明図であり、図４（ａ）、（ｂ）は、本発明を適用した導光板５０を用いた場合の説明図、および図７（ａ）に示す参考例に係る導光板５０を用いた場合の説明図である。図５は、本発明を適用した照明装置３０および表示装置１に用いた導光板５０から出射される照明光の強度分布を示す説明図であり、図５には、強度のシミュレーション結果に基づいて、強度が相対的に低い領域を、斜線を付した領域として模式的に示してある。なお、図５（ａ）、（ｂ）、（ｃ）、（ｄ）は、本発明を適用した照明装置３０および表示装置１に用いた導光板５０において、シリンドリカルレンズ面５５０を曲率半径が０．０２ｍｍの円弧面、曲率半径が０．０５ｍｍの円弧面、曲率半径が０．１ｍｍの円弧面、および曲率半径が０．２ｍｍの円弧面としたときの結果である。なお、図５（ｅ）には、図７（ａ）に示す光入射部５５を採用した参考例における強度分布を示してある。
【００３１】
図３（ａ）、（ｂ）に示すように、本形態の照明装置３０および表示装置１に用いた導光板５０において、光入射部５５には、導光板５０の厚さ方向に軸線方向Ｌ５５１を向けた凹曲面５５１からなるシリンドリカルレンズ面５５０が軸線方向Ｌ５５１と直交する方向（側面５４の延在方向）に複数設けられている。複数のシリンドリカルレンズ面５５０の軸線方向Ｌ５５１は互いに平行である。このようにして、本形態の光入射部５５は、レンチキュラー構造になっている。
【００３２】
本形態において、発光素子４０（発光ダイオード４１）の発光面４５のＸ軸方向の外径は例えば２０ｍｍである。かかる寸法に対応させて、シリンドリカルレンズ面５５０は、曲率半径が０．５ｍｍ以下の円弧面であり、さらに好ましくは、曲率半径が０．２ｍｍ以下の円弧面になっている。また、シリンドリカルレンズ面５５０は、０．０２ｍｍ〜０．４ｍｍのピッチで形成されており、軸線方向Ｌ５５１と直交する方向において隣り合うシリンドリカルレンズ面５５０は、繋がっている。
【００３３】
このように構成した光入射部５５において、各シリンドリカルレンズ面５５０は負のパワーを有する凹レンズとして機能する。このため、図４（ａ）に光線Ｌの解析結果を示すように、発光素子４０から出射された光は、発散光として光入射部５５に入射するとともに、光入射部５５に入射する際、複数のシリンドリカルレンズ面５５０によって発散角がさらに拡大される。このため、図１（ａ）に示すように、導光板５０のうち、光入射部５５の両側に位置する領域でも、発光素子４０から出射された光が十分に到達する。従って、導光板５０の第１面５１（一方面）からは、光入射部５５の両側に位置する領域からも、照明光が十分な強度をもって出射されるので、照明光の強度ばらつきを緩和することができる。これに対して、図７（ａ）に示す参考例に係る導光板５０を用いた場合、図４（ｂ）に光線Ｌの解析結果を示すように、発光素子４０から出射された光は、発散光として光入射部５５に入射するが、光入射部５５に入射する際の屈折の影響で、発散角が狭くなってしまう。このため、導光板５０のうち、光入射部５５の両側に位置する領域では、発光素子４０から出射された光が十分に到達しない。
【００３４】
例えば、本発明を適用した照明装置３０および表示装置１に用いた導光板５０において、シリンドリカルレンズ面５５０を曲率半径が０．０２ｍｍの円弧面とした場合、図５（ａ）に強度分布を模式的に示すように、強度が相対的に低い領域Ｐ１（斜線を付した領域）が光入射部５５から離間する領域に広がる。この場合でも、領域Ｐ１の強度は、図５（ｅ）に示す参考例において強度が相対的に低い領域Ｐ５の強度より高く、かつ、光入射部５５の両側に位置する領域Ｐ６（図５（ｅ）参照）で照明光の強度が他の領域に比して著しく低くなるという事態が発生しない。
【００３５】
また、本発明を適用した照明装置３０および表示装置１に用いた導光板５０において、シリンドリカルレンズ面５５０を曲率半径が０．０５ｍｍの円弧面とした場合、図５（ｂ）に強度分布を模式的に示すように、強度が相対的に低い領域Ｐ１（斜線を付した領域）が光入射部５５から離間する領域に広がる。この場合でも、領域Ｐ１の強度は、図５（ｅ）に示す参考例において強度が相対的に低い領域Ｐ５の強度より高く、かつ、光入射部５５の両側に位置する領域Ｐ６（図５（ｅ）参照）で照明光の強度が他の領域に比して著しく低くなるという事態が発生しない。
【００３６】
また、本発明を適用した照明装置３０および表示装置１に用いた導光板５０において、シリンドリカルレンズ面５５０を曲率半径が０．１ｍｍの円弧面とした場合、図５（ｃ）に強度分布を模式的に示すように、強度が相対的に低い領域Ｐ１（斜線を付した領域）が光入射部５５から離間する領域に広がる。この場合でも、領域Ｐ１の強度は、図５（ｅ）に示す参考例において強度が相対的に低い領域Ｐ５の強度より高く、かつ、光入射部５５の両側に位置する領域Ｐ６（図５（ｅ）参照）で照明光の強度が他の領域に比して著しく低くなるという事態が発生しない。
【００３７】
また、本発明を適用した照明装置３０および表示装置１に用いた導光板５０において、シリンドリカルレンズ面５５０を曲率半径が０．２ｍｍの円弧面とした場合、図５（ｄ）に強度分布を模式的に示すように、強度が相対的に低い領域Ｐ１（斜線を付した領域）が光入射部５５から離間する領域に広がる。この場合でも、領域Ｐ１の強度は、図５（ｅ）に示す参考例において強度が相対的に低い領域Ｐ５の強度より高く、かつ、光入射部５５の両側に位置する領域Ｐ６（図５（ｅ）参照）では照明光の強度が他の領域に比して著しく低くなるという事態が発生しない。なお、シリンドリカルレンズ面５５０を曲率半径が０．２ｍｍの円弧面とした場合、領域Ｐ１内に、強度がより低い領域Ｐ２が発生するが、この場合でも、領域Ｐ２の強度は、図５（ｅ）に示す参考例において強度が相対的に低い領域Ｐ５の強度より高い。
【００３８】
なお、図示を省略するが、シリンドリカルレンズ面５５０を曲率半径が０．５ｍｍの円弧面とした場合でも、強度が相対的に低い領域Ｐ１の強度は、図５（ｅ）に示す参考例において強度が相対的に低い領域Ｐ５の強度より高く、かつ、光入射部５５の両側に位置する領域Ｐ６（図５（ｅ）参照）で照明光の強度が他の領域に比して著しく低くなるという事態が発生しない。この場合、シリンドリカルレンズ面５５０を曲率半径が０．５ｍｍの円弧面とした場合、領域Ｐ１内に、強度がより低い領域Ｐ２（図５（ｄ）参照）が発生しやすい。
【００３９】
また、シリンドリカルレンズ面５５０を構成する円弧面の曲率半径が大きくなると、発光素子４０とシリンドリカルレンズ面５５０との距離が長くなり、強度が低下する傾向にある。
【００４０】
従って、シリンドリカルレンズ面５５０は、曲率半径が０．５ｍｍ以下の円弧面とすることが好ましく、さらに好ましくは、曲率半径が０．２ｍｍ以下の円弧面とすることが好ましい。特に、シリンドリカルレンズ面５５０は、曲率半径が０．１ｍｍ以下の円弧面とすることが好ましい。また、シリンドリカルレンズ面５５０は、曲率半径が０．０２ｍｍ以上の円弧面とすることが好ましく、曲率半径が０．０２ｍｍ未満の円弧面とした場合、光が拡散しすぎるおそれがある。それ故、シリンドリカルレンズ面５５０は、曲率半径が０．０２ｍｍ以上かつ０．５ｍｍ以下の円弧面とすることが好ましく、特に、曲率半径が０．０２ｍｍ以上かつ０．２ｍｍ以下の円弧面とすることが好ましい。
【００４１】
（光入射部５５の別の構成例）
本発明を適用した照明装置３０および表示装置１に用いた導光板５０において、図３（ａ）、（ｂ）を参照して説明した形態では、軸線方向Ｌ５５１と直交する方向において隣り合うシリンドリカルレンズ面５５０は、繋がっていた。但し、図３（ｃ）に示すように、軸線方向Ｌ５５１と直交する方向において隣り合うシリンドリカルレンズ面５５０の間に、発光素子４０の発光面４５と平行な面５５２が設けられている構成を採用してもよい。
【００４２】
（本形態の主な効果）
以上説明したように、本形態の照明装置３０および表示装置１に用いた導光板５０において、光入射部５５には、導光板５０の厚さ方向に軸線方向Ｌ５５１を向けた凹曲面５５１からなるシリンドリカルレンズ面５５０が軸線方向Ｌ５５１と直交する方向（側面５４の延在方向）に複数設けられている。このため、図１（ａ）および図４（ａ）に光線Ｌを示すように、発光素子４０から出射された光は、発散光として光入射部５５に入射するとともに、光入射部５５に入射する際、複数のシリンドリカルレンズ面５５０によって発散角がさらに拡大される。このため、導光板５０のうち、光入射部５５の両側に位置する領域でも、発光素子４０から出射された光が十分に到達する。従って、導光板５０の第１面５１（一方面）からは、光入射部５５の両側に位置する領域からも、照明光が十分な強度をもって出射されるので、照明光の強度ばらつきを緩和することができる。
【００４３】
また、光入射部５５では、複数のシリンドリカルレンズ面５５０が形成されているので、光入射部５５と発光素子４０とを近接させても、照明光の強度ばらつきを緩和することができる。それ故、照明装置３０の小型化を図ることができる。すなわち、光入射部５５全体を１つの大きな凹曲面（シリンドリカルレンズ面）とした場合、光入射部５５から離間する位置に発光素子４０を配置する必要があって、照明装置３０が大型化してしまうが、本形態によれば、かかる大型化が発生しない。
【００４４】
（他の実施の形態）
上記実施の形態では、光入射部５５が１個所で発光素子４０が１つであったが、突出部５３の先端部５３０等に複数の光入射部５５が設けられ、複数の光入射部５５の各々に発光素子４０が設けられていてもよい。この場合、光入射部５５が設けられている範囲の幅寸法とは、複数の光入射部５５が設けられている領域の両端の距離が、光入射部５５が設けられている範囲の幅寸法Ｗｂに相当する。また、本形態では、導光板５０が略円形の平面形状であったが、矩形の平面形状である等、略円形以外の平面形状の導光板５０を用いた場合に本発明を適用してもよい。また、本形態では、表示パネル１０が反射型の表示パネルであったため、照明装置３０をフロントライトとして用いたが、表示パネル１０として透過型の表示パネルを用い、照明装置３０をバックライトとして用いてもよい。さらに、本発明の照明装置３０は、写真等を収納して展示するフォトフレーム、広告等を表示する看板、自動車等に用いられる計器等に用いてもよい。
【００４５】
（携帯用電子機器の構成例）
図６は、本発明を適用した表示装置１を備えた携帯用電子機器１００の説明図である。図６に示す携帯用電子機器１００は、腕装着型の電子機器であり、本体部１２０と、バンド部１３０とを備えており、本体部１２０には、時計機能に加えて、衛星測位システムの一種であるＧＰＳ（ＧｌｏｂａｌＰｏｓｉｔｉｏｎｉｎｇ Ｓｙｓｔｅｍ）機能等を内蔵している。本体部１２０の中央には、表示部１４０が構成されており、かかる表示部１４０には、図１等を参照して説明した表示装置１が用いられており、現在の日時や位置情報等が表示される。
【００４６】
なお、本発明を適用した表示装置１は、図６に示す携帯用電子機器１００の他にも、携帯電話機、情報携帯端末（ＰＤＡ：Ｐｅｒｓｏｎａｌ  Ｄｉｇｉｔａｌ  Ａｓｓｉｓｔａｎｔｓ）、カメラのファインダー、電子ペーパー等の表示装置として用いてもよい。
【符号の説明】
【００４７】
１・・表示装置、１ａ・・画像表示領域、１０・・表示パネル、１１・・第１基板、１２・・第２基板、１３・・電気光学層、２０・・接着剤層、３０・・照明装置、４０・・発光素子、４１・・発光ダイオード、４５・・発光面、５０・・導光板、５１・・第１面、５２・・第２面、５３・・突出部、５４・・側面、５５・・光入射部、５９・・光散乱部、１００・・携帯用電子機器、１２０・・本体部、１３０・・バンド部、１４０・・表示部、５５０・・シリンドリカルレンズ面、５５１・・凹曲面、５５２・・面、Ｌ５５１・・軸線方向
【図１】
2016162714.tif 000003
【図３】
2016162714.tif 000004
【図４】
2016162714.tif 000005
【図５】
2016162714.tif 000006
【図６】
2016162714.tif 000007
【図７】
2016162714.tif 000008
【図２】
2016162714.tif 000009